(57)【特許請求の範囲】
【請求項１】
ポイント・ツー・マルチポイント型光加入者系アクセスシステムに用いられる加入者宅内装置であって、
該加入者宅内装置の電源供給状態がＡＣ電源駆動であるか、又はバッテリ駆動であるかを検出し、電源供給状態の切り替わりの旨を表すモード切替信号を生成するパワーモード検知部と、
前記モード切替信号を受信し、且つ該モード切替信号をトリガにして、帯域割当要求信号の発信間隔を動的に変更するように制御する制御部とを備え、
前記制御部が、前記モード切替信号に基づいてバッテリ駆動であると認識した場合に、該加入者宅内装置が有する送受信フレームの優先度の制御のための優先制御機能部を少なくともバイパスする手段を備えることを特徴とする加入者宅内装置。
【請求項２】
前記制御部が、前記モード切替信号に基づいてバッテリ駆動であると認識した場合に、該加入者宅内装置が有するＵＮＩ側ＰＨＹ部、ＵＮＩ側ＭＡＣ部、優先制御機能部、及び音声フレーム以外を蓄積するキューのうち、少なくとも１つ以上をスリープ状態に変更する手段と、
前記制御部が、前記モード切替信号に基づいて、バッテリ駆動からＡＣ電源駆動に復旧したと認識した場合に、該スリープ状態から通常状態に戻す手段とを更に備えることを特徴とする、請求項１に記載の加入者宅内装置。
【請求項３】
前記制御部が、前記モード切替信号に基づいて電源供給状態を認識した場合に、該電源供給状態の情報を局内装置に通知する手段を更に備えることを特徴とする、請求項１又は２に記載の加入者宅内装置。
【請求項４】
請求項３に記載の加入者宅内装置から該電源供給状態の情報の通知を受けた時に、帯域通知割当信号の発信間隔を動的に変更する手段を備えることを特徴とする局内装置。
【請求項５】
請求項１〜３のいずれか一項に記載の加入者宅内装置から帯域割当要求信号を受けなかった時に、当該加入者宅内装置がリンク断と判断するための時間間隔を計算して新たに設定し、該時間間隔を当該加入者宅内装置へ通知する手段を備えることを特徴とする局内装置。
【請求項６】
講求項１〜３のいずれか一項に記載の加入者宅内装置と、
請求項４又は５に記載の局内装置とを備え、ＶｏＩＰ−ＴＡを該加入者宅内装置に内蔵又は外付けに構成していることを特徴とするポイント・ツー・マルチポイント型光加入者系アクセスシステム。
【請求項７】
ポイント・ツー・ポイント型光加入者系アクセスシステムに用いられる加入者宅内装置であって、
該加入者宅内装置の電源供給状態がＡＣ電源駆動であるか、又はバッテリ駆動であるかを検出し、電源供給状態の切り替わりの旨を表すモード切替信号を生成するパワーモード検知部と、
前記モード切替信号を受信する制御部とを備え、
前記制御部が、前記モード切替信号に基づいてバッテリ駆動であると認識した場合に、該加入者宅内装置が有する送受信フレームの優先度の制御のための優先制御機能を少なくともバイパスする手段を備えることを特徴とする加入者宅内装置。
【請求項８】
前記制御部が、前記モード切替信号に基づいてバッテリ駆動であると認識した場合に、該加入者宅内装置が有するＵＮＩ側ＰＨＹ部、ＵＮＩ側ＭＡＣ部、優先制御機能部、及び音声フレーム以外を蓄積するキューのうち、少なくとも１つ以上をスリープ状態に変更する手段と、
前記制御部が、前記モード切替信号に基づいて、バッテリ駆動からＡＣ電源駆動に復旧したと認識した場合に、該スリープ状態から通常状態に戻す手段とを更に備えることを特徴とする、請求項７に記載の加入者宅内装置。
【請求項９】
請求項７又は８に記載の加入者宅内装置を備え、ＶｏＩＰ−ＴＡを該加入者宅内装置に内蔵又は外付けに構成していることを特徴とする、ポイント・ツー・ポイント型光加入者系アクセスシステム。
【発明の詳細な説明】
【技術分野】
【０００１】
本発明は、光加入者系アクセスシステムにおいて、通信装置のバッテリ駆動時の電力を抑制する加入者宅内装置、局内装置及び光加入者系アクセスシステムに関する。
【背景技術】
【０００２】
一般に、光加入者系アクセスシステムのトポロジとして、ポイント・ツー・ポイント型（Ｐｏｉｎｔ‐ｔｏ‐Ｐｏｉｎｔ  Ｔｏｐｏｌｏｇｙ）とポイント・ツー・マルチポイント型が挙げられる。特に、ポイント・ツー・マルチポイント型（Ｐｏｉｎｔ‐ｔｏ‐Ｍｕｌｔｉ−Ｐｏｉｎｔ  Ｔｏｐｏｌｏｇｙ）の光加入者系アクセスシステムは、近年、ＰＯＮ（Ｐａｓｓｉｖｅ  Ｏｐｔｉｃａｌ  Ｎｅｔｗｏｒｋ，受動型光ネットワーク）システムの技術と共に日本では光加入者系アクセスシステムとして広く普及している。
【０００３】
ＰＯＮシステムの一種であるＥＰＯＮ（Ｅｔｈｅｒｎｅｔ（登録商標）  Ｐａｓｓｉｖｅ  Ｏｐｔｉｃａｌ  Ｎｅｔｗｏｒｋ）システムにおいて、従来の固定アナログ電話端末を使用する場合、加入者宅内装置（ＯＮＵ：Ｏｐｔｉｃａｌ  Ｎｅｔｗｏｒｋ  ｕｎｉｔ）と固定アナログ電話端末との間に、ＶｏＩＰ−ＴＡ（Ｖｏｉｃｅｏｖｅｒ  Ｉｎｔｅｒｎｅｔ  Ｐｒｏｔｃｏｌ‐ＴｅｌｅＰｈｏｎｙ  Ａｄａｐｔｅｒ）を設置することによって、発信又は切断などの電話操作、或いは音声のＩＰ（Ｉｎｔｅｒｎｅｔ  Ｐｒｏｔｃｏｌ）変換を行い、ＩＰ網を経由して通話を実現する方法が知られている。
【０００４】
ＥＰＯＮシステムを利用した固定アナログ電話接続構成図の一例を図１に示す。図１において、加入者宅内１００に設けられる加入者宅内装置（ＯＮＵ）１１と通信局の局内２００に設けられる局内装置（ＯＬＴ：Ｏｐｔｉｃａｌ  Ｌｉｎｅ  Ｔｅｒｍｉｎａｌ）２０１とは、光ファイバケーブルを用いて光スプリッタ３００を介して接続されている。ＯＮＵ１１は、複数のＵＮＩ（Ｕｓｅｒ  Ｎｅｔｗｏｒｋ  Ｉｎｔｅｒｆａｃｅ）を有しており、一方のＵＮＩには、ＶｏＩＰ−ＴＡ３３を経由して、固定アナログ電話端末１４が接続され、他方のＵＮＩには、ＰＣ（パーソナルコンピュータ）１２が接続される。
【０００５】
また、図２は、ＥＰＯＮシステム構成の別の例を示す図であり、図１で示したＶｏＩＰ−ＴＡ３３及びＯＮＵ１１について、それぞれ別装置であったものを１つのＶｏＩＰ−ＴＡ内蔵ＯＮＵ１５として構成したものである。加入者宅内１００に設置されたＶｏＩＰ−ＴＡ内蔵ＯＮＵ１５と局内２００に設置されたＯＬＴ２０１とは、光ファイバケーブルを用いて光スプリッタ３００を介して接続される。ＶｏＩＰ−ＴＡ内蔵ＯＮＵ１５には、ＰＣ（パーソナルコンピュータ）１２及び固定アナログ電話端末１４が接続される。
【０００６】
図３は、ＶｏＩＰ−ＴＡ内蔵ＯＮＵの内部構成の一例を示すブロック図である。図３は、前述の図２に示すＶｏＩＰ−ＴＡ内蔵ＯＮＵ１５について機能ブロック図を示したものである。ＶｏＩＰ−ＴＡ内蔵ＯＮＵ１５は、ＵＮＩ側ＰＨＹ部２０と、ＵＮＩ側ＭＡＣ部２１と、ＰＨＹ（ＰＨＹｓｉｃａｌ  Ｌａｙｅｒ  Ｄｅｖｉｃｅ）部２７と、ＭＡＣ（Ｍｅｄｉａ  Ａｃｃｅｓｓ  Ｃｏｎｔｒｏｌ）部２６と、ＶｏＩＰ−ＴＡ３６と、第１及び第２の優先制御機能部２２，２５と、１つ以上の第１及び第２のキュー２３−ｎ，２４−ｎ（ｎは、ゼロを除く自然数）と、ＭＰＭＣ（Ｍｕｌｔｉ‐Ｐｏｉｎｔ  ＭＡＣ  Ｃｏｎｔｒｏｌ）部２８と、制御部１７と、ＡＣ電源１８と、バッテリ１９とを備えている。
【０００７】
ＵＮＩ側ＰＨＹ部２０は、ユーザ側の装置と通信するためのユーザネットワークインタフェース（ＵＮＩ）として機能する。
【０００８】
ＵＮＩ側ＭＡＣ部２１は、ユーザ側の装置と送受信されるＭＡＣフレームをヘッダ情報に応じて処理する機能を有する。
【０００９】
ＰＨＹ部２７は、ＯＬＴと通信するためのインタフェースとして機能する。
【００１０】
ＭＡＣ部２６は、ＯＬＴと送受信されるＭＡＣフレームをヘッダ情報に応じて処理する機能を有する。
【００１１】
ＶｏＩＰ−ＴＡ３６は、固定アナログ電話端末と接続するインタフェースとして機能する。
【００１２】
第１の優先制御機能部２２は、送受信フレームの優先度の制御のための機能部であり、ＵＮＩ側ＭＡＣ部２１又はＶｏＩＰ−ＴＡ３６から受信したデータフレーム又は音声フレームに優先度を付加するか、或いは既に優先度が付されたデータフレーム又は音声フレームに基づいて、複数のキューへの優先度割付けを制御する機能を有する。例えば、ＰＣ１２との送受信と固定アナログ電話端末１４による通話が同時に為される場合に、これらのデータフレーム又は音声フレームを優先度を応じて各キュー２３−ｎに振り分ける。
【００１３】
第２の優先制御機能部２５は、送受信フレームの優先度の制御のための機能部であり、ＭＡＣ部２６から受信したデータフレーム又は音声フレームに優先度を付加するか、或いは既に優先度が付されたデータフレーム又は音声フレームに基づいて、複数のキューへの優先度割付けを制御する機能を有する。例えば、ＰＣ１２との送受信と固定アナログ電話端末１４による通話が同時に行うような場合に、固定アナログ電話端末１４への音声フレームとＰＣ１２へのデータフレームについて優先度を応じて各キュー２４−ｎに振り分ける。
【００１４】
第１のキュー２３−ｎは、一組の上りキューとして構成され、第１の優先制御機能部２２から受信したデータを一時的に格納する機能を有する。
【００１５】
第２のキュー２４−ｎは、一組の下りデータとして構成され、第２の優先制御機能部２５から受信したデータを一時的に格納する機能を有する。
【００１６】
ＭＰＭＣ部２８は、ＭＰＭＣプロトコルによりＴＤＭＡ（時分割多重アクセス）コントロールを実施してマルチポイントアクセス制御を行う機能を有する。即ち、ＭＰＭＣ部２８は、帯域割当要求信号を発生する機能を有する。
【００１７】
制御部１７は、信号流通部１６内の機能を制御する。
【００１８】
ＡＣ電源１８は、ＯＮＵ１５に電源供給する機能を有する。
【００１９】
バッテリ１９は、ＡＣ電源１８とは別の補助電源として、ＯＮＵ１５に電源供給する機能を有する。
【００２０】
図４Ａは、ポイント・ツー・ポイント型光加入者系アクセスシステムにおけるシステム構成の一例を示した図である。加入者宅内１００に設置されたＯＮＵ１１と局内２００に設置された１つ以上のＯＬＴ２０１−ｎ（ｎは、ゼロを除く自然数）とは、光ファイバケーブルを介して接続されている。ＯＮＵ１１は、２つのＵＮＩを有しており、一方のＵＮＩには、ＶｏＩＰ−ＴＡ３３を経由して固定アナログ電話端末１４が接続され、他方のＵＮＩには、ＰＣ１２が接続されている。図４Ａに示すポイント・ツー・ポイント型光加入者系アクセスシステムは、ＰＯＮシステムと比べて（図１又は図２）、１台のＯＮＵ１１が、２つ以上のＯＬＴ２０１−ｎの各々と１対１で接続可能である点で相違する。
【００２１】
図４Ｂは、ポイント・ツー・ポイント型光加入者系アクセスシステムにおけるシステム構成の別の例である。図４Ａで示したＶｏＩＰ−ＴＡ３３及びＯＮＵ１１について、それぞれ別装置であったものを１つのＶｏＩＰ−ＴＡ内蔵ＯＮＵ１５として構成したものである。ＶｏＩＰ−ＴＡ内蔵ＯＮＵ１５には、ＰＣ１２及び固定アナログ電話端末１４が接続される。
【００２２】
図５は、ＩＥＥＥ８０２．３−２００５  Ｃｌａｕｓｅ  ６４で規定される制御信号について示した図である（例えば、非特許文献１参照）。前述した光加入者系アクセスシステムにおいて（図１，図２，図４Ａ又は図４Ｂ参照）、ＯＬＴとＯＮＵとの間で交わされるＧＡＴＥフレーム、ＲＥＰＯＲＴフレームの通常の手順を示している。ＯＬＴは、ＧＡＴＥフレームを各ＯＮＵに送ることにより、それぞれのＯＮＵが時間的に衝突することなく送信できるように指示する。尚、参照番号を付さずに“ＯＬＴ”及び“ＯＮＵ”と称するときは、光加入者系アクセスシステムにおける局内装置及び加入者宅内装置をそれぞれ包括的に説明している。
【００２３】
具体的な手順は、次のようになる。ステップＳ１１で、ＯＬＴは、ＯＮＵに対しＲＥＰＯＲＴ報告をさせるため、ＧＡＴＥフレームを送信する。ここで、（ＦＲフラグ＝１）は、強制的なＲＥＰＯＲＴ送信を要求していることを示している。ＯＮＵは、上りデータ（主信号）を受信すると、一旦第２のキュー２４−ｎに蓄積しておく（図３参照）。ステップＳ１２で、ＯＮＵは、蓄積している上りデータ量をＲＥＰＯＲＴフレームに記し、そのＲＥＰＯＲＴフレームをＯＬＴに送信する。これにより、ＯＬＴは、受信したＲＥＰＯＲＴフレームから、ＯＮＵに蓄積されている上りデータ量を把握することができる。
【００２４】
ステップＳ１３で、ＯＬＴは、各ＯＮＵに割り当てるべき上り帯域を算出する。ステップＳ１４で、ＯＬＴは、算出した値をＧＡＴＥフレームに記し、ＯＮＵに送信する。ステップＳ１５で、ＯＮＵは、受信したＧＡＴＥフレームの指示に従い、指定された時刻に上りデータ（主信号）を送信する。この時、次回の帯域割り当てのため、再度、蓄積している上りデータ量を通知することがある（ＲＥＰＯＲＴフレームの再送信）。
【００２５】
以上のステップＳ１１〜Ｓ１５の手順を繰り返すことで、ＯＬＴは、絶えず各ＯＮＵの上りデータ量の状態を知ることができ、各ＯＮＵに適切に帯域を割り当てることが可能となる。
【００２６】
【非特許文献１】ＩＥＥＥ８０２．３−２００５  Ｃｌａｕｓｅ  ６４，ｐｐ．２４３−２９７
【発明の開示】
【発明が解決しようとする課題】
【００２７】
しかしながら、従来からの光加入者系アクセスシステムにおいて、光ファイバでは、メタル回線のように局内２００側からＯＮＵ１１（又はＶｏＩＰ−ＴＡ内蔵ＯＮＵ１５）に対して電源供給することができないため、加入者宅内１００側が停電になった場合、ＶｏＩＰ−ＴＡ３３又はＯＮＵ１１（又は、ＶｏＩＰ−ＴＡ内蔵ＯＮＵ１５）に通電がなされず、通話が一切できなくなるという問題がある。
【００２８】
この場合において、ＯＮＵ１１（又はＶｏＩＰ−ＴＡ内蔵ＯＮＵ１５）の利用者は、緊急通報を含めて通話ができなくなるため、ライフラインとしての役割を果たせなくなる。特に、従来の光加入者系アクセスシステムでは、ＯＬＴからＯＮＵへのＲＥＰＯＲＴ送信間隔は一定であるため、バッテリ１９によるバッテリ駆動時にＲＥＰＯＲＴ送信間隔を動的に変えることはできず、その結果、ＰＨＹ部２７は、ＡＣ電源１８の駆動時と同等の電力を消費することになる。そこで、ＶｏＩＰ−ＴＡ３３又はＯＮＵ１１（又はＶｏＩＰ−ＴＡ内蔵ＯＮＵ１５）に電源供給するバッテリ１９を設けて、停電時においても待受及び通話時間をある一定時間確保することが考えられる。従って、このような状況下においても、最大限の待受及び通話時間を確保するために、ＯＮＵ１１（又はＶｏＩＰ−ＴＡ内蔵ＯＮＵ１５）の消費電力をＡＣ電源１８の駆動時よりも低減させる手法が必要である。
【００２９】
本発明の目的は、加入者宅内装置（ＯＮＵ）のバッテリ駆動時に消費電力を抑える、加入者宅内装置、局内装置及び光加入者系アクセスシステムを提供することにある。
【課題を解決するための手段】
【００３０】
上述の課題を解決するために、本発明の加入者宅内装置は、ポイント・ツー・マルチポイント型光加入者系アクセスシステムに用いられる加入者宅内装置であって、該加入者宅内装置の電源供給状態がＡＣ電源駆動であるか、又はバッテリ駆動であるかを検出し、電源供給状態の切り替わりの旨を表すモード切替信号を生成するパワーモード検知部と、前記モード切替信号を受信し、且つ該モード切替信号をトリガにして、帯域割当要求信号の発信間隔を動的に変更するように制御する制御部とを備え、前記制御部は、前記モード切替信号に基づいてバッテリ駆動であると認識した場合に、該加入者宅内装置が有する送受信フレームの優先度の制御のための優先制御機能を少なくともバイパスする手段を備えることを特徴とする。
【００３２】
また、本発明の加入者宅内装置において、前記制御部が、前記モード切替信号に基づいてバッテリ駆動であると認識した場合に、該加入者宅内装置が有するＵＮＩ側ＰＨＹ部、ＵＮＩ側ＭＡＣ部、優先制御機能部、及び音声フレーム以外を蓄積するキューのうち、少なくとも１つ以上をスリープ状態に変更する手段と、前記制御部が、前記モード切替信号に基づいて、バッテリ駆動からＡＣ電源駆動に復旧したと認識した場合に、該スリープ状態から通常状態に戻す手段とを更に備えることを特徴とする。
【００３３】
また、本発明の加入者宅内装置において、前記制御部が、前記モード切替信号に基づいて電源供給状態を認識した場合に、該電源供給状態の情報を局内装置に通知する手段を更に備えることを特徴とする。
【００３４】
更に、本発明の局内装置は、本発明の加入者宅内装置から該電源供給状態の情報の通知を受けた時に、帯域通知割当信号の発信間隔を動的に変更する手段を備えることを特徴とする。
【００３５】
また、本発明の局内装置において、本発明の加入者宅内装置から帯域割当要求信号を受けなかった時に、当該加入者宅内装置がリンク断と判断するための時間間隔を計算して新たに設定し、該時間間隔を当該加入者宅内装置へ通知する手段を備えることを特徴とする。
【００３６】
更に、本発明は、本発明の加入者宅内装置と、本発明の局内装置とを備え、ＶｏＩＰ−ＴＡを該加入者宅内装置に内蔵又は外付けに構成しているポイント・ツー・マルチポイント型光加入者系アクセスシステムとしても特徴付けられる。
【００３７】
更に、本発明の加入者宅内装置は、ポイント・ツー・ポイント型光加入者系アクセスシステムに用いられる加入者宅内装置であって、該加入者宅内装置の電源供給状態がＡＣ電源駆動であるか、又はバッテリ駆動であるかを検出し、電源供給状態の切り替わりの旨を表すモード切替信号を生成するパワーモード検知部と、前記モード切替信号を受信する制御部と、前記制御部が、前記モード切替信号に基づいてバッテリ駆動であると認識した場合に、該加入者宅内装置が有する該加入者宅内装置が有する送受信フレームの優先度の制御のための優先制御機能を少なくともバイパスする手段とを備えることを特徴とする。
【００３８】
また、本発明の加入者宅内装置において、前記制御部が、前記モード切替信号に基づいてバッテリ駆動であると認識した場合に、該加入者宅内装置が有するＵＮＩ側ＰＨＹ部、ＵＮＩ側ＭＡＣ部、優先制御機能部、及び音声フレーム以外を蓄積するキューのうち、少なくとも１つ以上をスリープ状態に変更する手段と、前記制御部が、前記モード切替信号に基づいて、バッテリ駆動からＡＣ電源駆動に復旧したと認識した場合に、該スリープ状態から通常状態に戻す手段とを更に備えることを特徴とする。
【００３９】
更に、本発明は、本発明の加入者宅内装置を備え、ＶｏＩＰ−ＴＡを該加入者宅内装置に内蔵又は外付けに構成しているポイント・ツー・ポイント型光加入者系アクセスシステムとしても特徴付けられる。
【発明の効果】
【００４０】
本発明によれば、停電時にＯＮＵが使用する電力を極力抑え、連続待機時間及び通話可能時間を長くする効果が得られる。また、本発明によれば、ＲＥＰＯＲＴ送信間隔（又は、帯域割当要求信号の発信間隔）を動的に変更するため、その結果光信号出力頻度を減少させ、ＰＨＹによる消費電力を低減させることができる。
【発明を実施するための最良の形態】
【００４１】
本発明の実施例について図面を参照して説明する。以下、前述した光加入者系アクセスシステムにおいて（図１，図２，図４Ａ又は図４Ｂ参照）、ＶｏＩＰ−ＴＡ内蔵ＯＮＵの場合、又はＯＮＵがＶｏＩＰ−ＴＡを内蔵していない場合について、ＡＣ電源駆動とバッテリ駆動とが切り替わる状況下で、ＶｏＩＰ−ＴＡ内蔵ＯＮＵ（又はＯＮＵと外付けのＶｏＩＰ−ＴＡ）に電源供給する制御構成及びその手法を詳細に説明する。また、各実施例において、参照番号を付さずに“ＯＬＴ”及び“ＯＮＵ”と称するときは、光加入者系アクセスシステムにおける局内装置及び加入者宅内装置をそれぞれ包括的に説明している。
【００４２】
まず、本発明による実施例１の光加入者系アクセスシステムにおけるＯＮＵについて説明する。尚、各実施例において同様な構成要素には同一の参照番号を付して説明する。
【００４３】
（実施例１）
図６は、本発明による実施例１のＶｏＩＰ−ＴＡ内蔵ＯＮＵのブロック図である。実施例１のＶｏＩＰ−ＴＡ内蔵ＯＮＵは、図３に示す従来のＶｏＩＰ−ＴＡ内蔵ＯＮＵと比較して、帯域割当要求信号調整機能部２９、パワーモード検知部３０、モード切替スイッチ３１，３２を更に備える点、及び、制御部１７が新たな制御機能を有する点で相違する。従って、従来と同様の構成要素については、その説明を省略する。
【００４４】
パワーモード検知部３０は、停電等により通常状態時のＡＣ電源１８の駆動からバッテリ駆動に切り替わった際に、ＯＮＵの電源供給状態がＡＣ電源駆動であるか、又はバッテリ駆動であるかを検出し、電源供給状態の切り替わりの旨を表すモード切替信号を生成する機能を有する。
【００４５】
帯域割当要求信号調整機能部２９は、モード切替信号をトリガにして制御する制御部１７の制御に従って、ＭＰＭＣ部２８に対して帯域割当要求信号の発信間隔を動的に変更する機能を有する。
【００４６】
モード切替スイッチ３１，３２は、制御部１７の制御によりモード切替信号における省電力モードに対応して、未使用の機能部（例えば、第１及び第２の優先制御機能部２２，２５）をバイパスする切替を行う。
【００４７】
制御部１７は、信号流通部１６内の機能を制御する。特に、モード切替信号に基づいて電源供給状態を認識した場合に、モード切替信号をトリガにして帯域割当要求信号調整機能部２９及びモード切替スイッチ３１，３２を制御する。モード切替信号に基づいて電源供給状態を認識した場合に、該電源供給状態の情報をＯＬＴに通知するように制御することもできる。
【００４８】
即ち、実施例１のＶｏＩＰ−ＴＡ内蔵ＯＮＵ１５は、通常状態時のＡＣ電源１８の駆動と、停電等によりバッテリ１９のバッテリ駆動との間で、電源供給状態が切り替わる際に、パワーモード検知部３０により電源供給状態の切り替わりを検出する。パワーモード検知部３０は、切り替わりの旨を表すモード切替信号を制御部１７に送出し、ＶｏＩＰ−ＴＡ内蔵ＯＮＵ１５の制御部１７は、バッテリ駆動への切り替わりを表すモード切替信号をトリガにして、省電力モードにＯＮＵ１５自身を切り替え、ＯＬＴからのＧＡＴＥフレーム（ＦＲフラグ＝１）に応答しないようにする。更に、ＯＮＵ１５の制御部１７は、モード切替信号に応じて、ＭＰＭＣ部２８に対して帯域割当要求信号の発信間隔を動的に変更するとともに、モード切替スイッチ３１，３２が、制御部１７の制御によりモード切替信号における省電力モードに対応して未使用の第１及び第２の優先制御機能部２２，２５を少なくともバイパスするように切り替えを行うように制御する。より具体的な制御シーケンスは、他の実施例のＯＮＵの構成を説明した後、説明する。
【００４９】
次に、本発明による実施例２の光加入者系アクセスシステムにおけるＯＮＵについて説明する。
【００５０】
（実施例２）
図７は、本発明による実施例２のＯＮＵのブロック図である。図７では、図６にて記載したＶｏＩＰ−ＴＡ内蔵ＯＮＵ１５と比べて、ＶｏＩＰ−ＴＡ３３が外付けになっており、別筐体となるＯＮＵ１１の構成である点で相違する。尚、ＶｏＩＰ−ＴＡ３３の機能は、実施例１のＶｏＩＰ−ＴＡ内蔵ＯＮＵ１５におけるＶｏＩＰ−ＴＡの機能と同一である。また、外付けのＶｏＩＰ−ＴＡ３３においても、ＡＣ電源１８か、又はバッテリ１９から電源供給されることに留意する。
【００５１】
次に、本発明によるその他の実施例の光加入者系アクセスシステムにおけるＯＮＵを説明する。
【００５２】
（その他の実施例）
図８Ａは、図７にて説明したＯＮＵ１１と比べて、複数のＵＮＩ（即ち、ＵＮＩ側ＰＨＹ部３４−ｋ，ＵＮＩ側ＭＡＣ３５−ｋ（ｋはゼロを除く２以上の自然数））と複数のＶｏＩＰ−ＴＡ（代表的に示すＶｏＩＰ−ＴＡ３３−ｎ）とを構成した点のみが相違しており、各ＵＮＩ側ＰＨＹ部３４−ｎ，ＵＮＩ側ＭＡＣ３５−ｎは、図７のものと同様に機能する。
【００５３】
図８Ｂは、ポイント・ツー・ポイント型の場合の、複数のＵＮＩを有するＯＮＵについて示す図である。即ち、図８Ｂは、図８Ａと比較して、ＭＰＭＣ部２８及び帯域割当要求信号調整機能部２９が設けられていない点で相違する。
【００５４】
図８Ｃは、図８Ｂの構成に対して、ポイント・ツー・ポイント型の場合の、ＵＮＩの一部に１つ以上のＶｏＩＰ−ＴＡ３６−ｎを内蔵したＯＮＵ１１の構成例について示す図である。即ち、図８Ｃは、図８Ｂと比較して、ＶｏＩＰ−ＴＡ３６−ｎを内蔵したＯＮＵ１５としている点で相違する。
【００５５】
上述した各実施例のＯＮＵの構成において、パワーモード検知部３０及びモード切替スイッチ３１，３２が設けられ、光加入者系アクセスシステムの構成に応じて（即ち、一対一か、又は一対多に応じて）、ＭＰＭＣ部３３及び帯域割当要求信号調整機能部２９が設けられる点に留意する。
【００５６】
以下、上述した各実施例のＯＮＵを光加入者系アクセスシステムに用いる際に、バッテリ１９の駆動時（即ち、ＡＣ電源駆動からバッテリ駆動に切り替わる場合）に、如何にしてＲＥＰＯＲＴ送信間隔（又は、帯域割当要求信号の発信間隔）を長く（一定時間におけるＲＥＰＯＲＴ送信回数を減ら）し、ＯＮＵの消費電力を抑えるかについて説明する。従って、以下の説明で参照する図９、図１０、図１１Ａ及び図１１Ｂに示す動作方法は、上述のいずれの実施例においても適用可能である。
【００５７】
ＲＥＰＯＲＴ送信回数を減少させる方法について、代表的に大きく分けて６通りの方法について説明する。尚、バッテリ駆動時においては、ＰＣ１２からのデータ通信機能をスリープするものとし、以下に用いる“主信号”とは、ＶｏＩＰ−ＴＡを介する電話の通話によって発生するデータ送受信としての音声フレームを意味する。即ち、以下の説明では、この主信号は、電話通信を優先通信とすることを意味しており、それ以外のデータ通信を非優先通信として区別するのに用いる。ここで、スリープ状態とは、いつでも速やかに起動することができる状態を保ちながら、消費電力を低減させた状態、好適には最大に低減した状態を云う。また、通常状態とは、スリープ状態ではなく、電源ＯＦＦ状態でもない、通常の動作状態を云う。
【００５８】
図９は、ＯＮＵによるＲＥＰＯＲＴ送信回数を減少させる第１の方法を示す図である。
ＯＮＵが、停電等によりＡＣ電源駆動からバッテリ駆動に切り替わった後の状態から説明する。ステップＳ２１で、ＯＬＴは、ＧＡＴＥフレーム（ＦＲフラグ＝１）を当該ＯＮＵに送出する。ステップＳ２２で、ＯＮＵは、ＯＬＴからのＧＡＴＥフレーム（ＦＲフラグ＝１）を受信してもそれに応答しないようにする。ＯＮＵが上りデータ（主信号）を受信した後に、ステップＳ２３で、ＯＬＴからのＧＡＴＥフレーム（ＦＲフラグ＝１）を受信した場合には、応答してＲＥＰＯＲＴ送信を行うようにし、当該上りデータ（主信号）をＯＬＴに送出する（ステップＳ２４）。また、ＯＮＵが、バッテリ駆動からＡＣ電源駆動に復旧した場合は、ＯＮＵの通常状態の動作にする（ステップＳ２５，Ｓ２６）。この制御シーケンスは、ＯＮＵが、パワーモード検知部３０によって検出したモード切替信号に応じて機能する制御部１７を具備することによって為される。
【００５９】
このように、第１の方法によれば、ＯＮＵにおいて、バッテリ駆動時には主信号が流れない限りＲＥＰＯＲＴ送信が為されず、結果的に光信号の発信頻度が減り、ＯＮＵの消費電力を削減することができる。
【００６０】
しかしながら、第１の方法では、ＯＬＴが、予め定められた一定時間内にＲＥＰＯＲＴが来ない場合（例えば、ＰＯＮシステムのときには、帯域割当要求信号を受けなかった場合）に、対応するＯＮＵをリンク断と判断するため（即ち、タイムアウト（Ｔｉｍｅｏｕｔ））、それ以降、対応するＯＮＵとの通信を断ち切る問題が発生してしまい、現実的ではない。そこで、この問題を解決する方法について以下に説明する。
【００６１】
図１０は、本発明によるＲＥＰＯＲＴ送信回数を減少させる第２の方法を示す図である。ＯＮＵが、停電等によりＡＣ電源駆動からバッテリ駆動に切り替わった後の状態から説明する。ＯＮＵは、ＯＬＴからのＧＡＴＥフレーム（ＦＲフラグ＝１）を受信すると（ステップＳ３１）、ＯＮＵ自身が、ＯＬＴによってリンク断と判断される最大時間間隔Ｔｎを計算して新たに設定し、ＲＥＰＯＲＴ送信を行わないようにする（ステップＳ３２）。更に、ＯＮＵは、その最大時間間隔Ｔｎの間は、ＯＬＴからのＧＡＴＥフレーム（ＦＲフラグ＝１）を受信しても（ステップＳ３３）、ＲＥＰＯＲＴ送信を行わないようにする（ステップＳ３４）。
【００６２】
最大時間間隔Ｔｎの予め定めた所定の時間経過後（好適にはリンク断となる直前）に、ＯＬＴからＧＡＴＥフレーム（ＦＲフラグ＝１）を受信する場合（ステップＳ３５）、即ちＯＬＴがリンク断と判断するより前にＲＥＰＯＲＴを返すようにする（ステップＳ３６）。ＯＮＵが上りデータ（主信号）を受信した後にＯＬＴからのＧＡＴＥフレーム（ＦＲフラグ＝１）を受信する場合（ステップＳ３７）、その応答のためにＲＥＰＯＲＴ送信を行うようにし、当該上りデータ（主信号）をＯＬＴに送出する（ステップＳ３８）。また、ＯＮＵが、バッテリ駆動からＡＣ電源駆動に復旧した場合は、ＯＮＵの通常状態の動作にする（ステップＳ３９，Ｓ４０）。この制御シーケンスは、ＯＮＵが、パワーモード検知部３０によって検出したモード切替信号に応じて機能する制御部１７を具備することによって為される。
【００６３】
第２の方法によれば、ＯＮＵは、ＡＣ電源駆動からバッテリ駆動に切り替わった後、最大時間間隔Ｔｎの間は、複数回のＧＡＴＥフレーム（ＦＲフラグ＝１）を受信にも関わらず、１回のみＲＥＰＯＲＴ送信を行うことになる。従って、第２の方法により、バッテリ駆動時には一定期間におけるＲＥＰＯＲＴ送信回数が通常状態のＡＣ電源駆動時より少なくなり、結果的に光信号出力頻度が減り、ＯＮＵの消費電力を削減することができる。
【００６４】
次に、本発明によるＲＥＰＯＲＴ送信回数を減少させる第３の方法を説明する。
【００６５】
図１１Ａは、本発明によるＲＥＰＯＲＴ送信回数を減少させる第３の方法を示す図である。ＯＮＵは、第１及び第２の方法と同様に、ＡＣ電源駆動からバッテリ駆動に切り替わった後、ＯＬＴからのＧＡＴＥフレーム（ＦＲフラグ＝１）を受信しても（ステップＳ５１）、ＲＥＰＯＲＴ送信を行わないようにする（ステップＳ５２）。
【００６６】
第３の方法では、ＧＡＴＥフレーム（ＦＲフラグ＝１）に対するＲＥＰＯＲＴを受け取らなかったＯＬＴは、次のＧＡＴＥフレーム（ＦＲフラグ＝１））を送信する所定の時間間隔以内で、当該ＯＮＵがリンク断であると判断する前の許容される最大時間間隔Ｔｎを計算して新たに設定し、ＧＡＴＥフレーム（Ｔｎの通知）を用いて、その最大時間間隔Ｔｎの値を当該ＯＮＵに通知する（ステップＳ５３）。当該ＯＮＵは、ＧＡＴＥフレーム（Ｔｎの確認の通知）を用いて、最大時間間隔Ｔｎの値の情報を受け取った旨をＯＬＴに応答する（ステップＳ５４）。更に、ＯＮＵは、その最大時間間隔Ｔｎの間は、ＯＬＴからのＧＡＴＥフレーム（ＦＲフラグ＝１）を受信しても（ステップＳ５５）、ＲＥＰＯＲＴ送信（又は、帯域割当要求信号の送信）を行わないようにする（ステップＳ５６）。
【００６７】
その後のＯＮＵの動作は、前述の第２の方法のステップＳ３７以降と同様に、最大時間間隔Ｔｎの予め定めた所定の時間前（好適にはリンク断となる直前）にＯＬＴからＧＡＴＥフレーム（ＦＲフラグ＝１）を受信する場合（ステップＳ５７）、即ちＯＬＴがリンク断と判断するより前にＲＥＰＯＲＴを返すようにする（ステップＳ５８）。その後にＯＬＴからのＧＡＴＥフレーム（ＦＲフラグ＝１）を受信する場合、応答してＲＥＰＯＲＴ送信を行うようにし、上りデータ（主信号）を送出する。また、ＯＮＵが、バッテリ駆動からＡＣ電源駆動に復旧した場合は、ＯＮＵの通常状態の動作にする（ステップＳ５９，Ｓ６０）。この制御シーケンスは、ＯＮＵが、パワーモード検知部３０によって検出したモード切替信号に応じて機能する制御部１７を具備するとともに、ＯＬＴが、後述するリンク断最大時間間隔計算機能２１１を具備することによって為される。
【００６８】
これにより、ＯＮＵは、バッテリ駆動時には一定期間におけるＲＥＰＯＲＴ送信回数が通常状態のＡＣ電源駆動時よりも少なくなり、結果的に光信号出力頻度が減り、消費電力を削減することができる。
【００６９】
図１１Ｂは、本発明によるＲＥＰＯＲＴ送信回数を減少させる第４の方法を示す図である。基本的には、図１１Ａに示した手順（ステップＳ５１〜ステップＳ６０）と同様なステップ（ステップＳ６１〜ステップＳ７０）を含むが、ステップＳ６３で、ＯＬＴが、最大時間間隔Ｔｎの通知にＧＡＴＥフレームを使用せずに保守用のＯＡＭフレームを使用する点と、ステップＳ６４で、ＯＮＵが、最大時間間隔Ｔｎの確認にＲＥＰＯＲＴを使用せずに保守用のＯＡＭフレームを使用する点で相違するのみである。
【００７０】
これにより、ＯＮＵは、バッテリ駆動時には一定期間におけるＲＥＰＯＲＴ送信回数が通常状態のＡＣ電源駆動時よりも少なくなり、結果的に光信号出力頻度が減り、消費電力を削減することができる。
【００７１】
図１２は、図１１Ａ及び図１１Ｂに示した第１及び第２の方法で必要となるＯＬＴの機能ブロックの一部を示した図である。ＯＬＴ２０１は、ＯＬＴの典型的な通常の機能に加え（図示せず）、最大時間間隔Ｔｎを計算して新たに設定し、対応するＯＮＵに通知するリンク断最大時間間隔計算機能２１１を具備する。
【００７２】
以上、第３及び第４の方法によって、バッテリ駆動時には一定期間におけるＲＥＰＯＲＴ送信回数が通常状態のＡＣ電源駆動時より少なくなり、結果的に光信号出力頻度が減り、消費電力を削減することができる。
【００７３】
図１３Ａは、本発明によるＲＥＰＯＲＴ送信回数を低減する第５の方法を示す図である。ＯＮＵが、停電等によりＡＣ電源駆動からバッテリ駆動に切り替わった後の状態から説明する。ＯＮＵは、ＡＣ電源駆動からバッテリ駆動に切り替わった後、ＯＬＴからのＧＡＴＥフレーム（ＦＲフラグ＝１）を受信すると（ステップＳ７１）、バッテリ駆動通知を含んだＲＥＰＯＲＴで応じる（ステップＳ７２）。具体的には、ＯＮＵは、自身の電源供給状態に合わせたフラグを用意し、バッテリ駆動である場合には、このフラグを“１”とし、ＡＣ電源駆動である場合には、このフラグを“０”とする。ステップＳ７２を経て、ＯＬＴは、当該ＯＮＵがバッテリ駆動であることを知ることができる。次に、ステップＳ７３で、ＯＬＴは、ＧＡＴＥフレームを送出する時間間隔を通常状態時のものよりも長くなるように制御する。より具体的には、予め定められたＧＡＴＥ間隔の範囲内の最大値（以下、最大ＧＡＴＥ間隔と称する。）に自動的に設定変更する。
【００７４】
この最大ＧＡＴＥ間隔で、ＯＬＴは、ＧＡＴＥフレーム（ＦＲフラグ＝１）を対応するＯＮＵに送信し（ステップＳ７３）、ＯＮＵは、応答してＲＥＰＯＲＴ送信を行うようにし、送出すべき上りデータ（主信号）があればＯＬＴに送出する（ステップＳ７４）。ステップＳ７３〜ステップＳ７４のシーケンスは、ＯＮＵからＡＣ電源駆動の旨を示すフラグ“０”の通知（ＯＮＵが通常状態時にある旨の通知）のＲＥＰＯＲＴを受け取るまで繰り返される（ステップＳ７５〜ステップＳ７６）。ＯＮＵがバッテリ駆動からＡＣ電源駆動に切り替わった後、ＧＡＴＥフレーム（ＦＲフラグ＝１）を受信した場合には（ステップＳ７７）、通常状態時の電源供給（ＡＣ電源１９による駆動）である旨を示すＲＥＰＯＲＴ（ＡＣ電源駆動の旨を示すフラグ“０”の通知）を当該ＯＬＴに送信する（ステップＳ７８）。この後の動作は、ＯＮＵ及びＯＬＴの通常状態の動作と同様である。この制御シーケンスは、ＯＮＵが、パワーモード検知部３０によって検出したモード切替信号に応じて機能する制御部１７を具備するとともに、ＯＬＴが、後述する帯域割当通知信号機能２１２を具備することによって為される。
【００７５】
図１３Ｂは、本発明によるＲＥＰＯＲＴ送信回数を減少させる第６の方法を示す図である。基本的には、図１３Ａに示した手順（ステップＳ７１〜ステップＳ７８）と同様なステップ（ステップＳ８１〜ステップＳ８８）を含むが、ステップＳ８２及びステップＳ８８で、ＯＮＵが、自身の電源状態に合わせたフラグの通知にＲＥＰＯＲＴを使用せずに保守用のＯＡＭフレームを使用する点で相違するのみである。
【００７６】
図１４は、図１３Ａ及び図１３Ｂに示した第５及び第６の方法で必要となるＯＬＴの機能ブロックを示した図である。ＯＬＴ２０１は、通常の機能に加え、ＯＮＵからバッテリ駆動通知を受け取った時、ＧＡＴＥフレームを送信する時間間隔を動的に調整する帯域割当通知信号機能２１２を具備する。
【００７７】
このように、第５及び第６の方法により、バッテリ駆動時には一定期間におけるＲＥＰＯＲＴ送信回数がＡＣ電源駆動時より少なくなり、結果的に光信号出力数が減り、消費電力を削減することができる。
【００７８】
以上、本発明の実施例について詳細に説明したが、前述の方法及びその変形例は発明の一例に過ぎず、本発明はこれに限定されるものではない。本発明を逸脱しない範囲で変形可能であることは明らかである。
【００７９】
次に、本発明の実施例であるＯＮＵ（図６〜図８Ｃ参照）において、バッテリ駆動に切り替わった場合に、バッテリ駆動時にスイッチにより使用しない機能部（例えば、第１及び第２の優先制御機能部２２，２５）をバイパスする動作について詳細に説明する。
【００８０】
ＯＮＵは、通常状態時、ＰＣ１２との送受信と固定アナログ電話端末１４による通話が同時に為される場合があり、これらの信号を適切に各キュー２３−ｎ，２４−ｎに振り分けるために、それぞれ第１及び第２の優先制御機能部２２，２５が設けられている。本発明の実施例であるＯＮＵ（図６〜図８Ｃ参照）は、バッテリ駆動に切り替わった場合は、パワーモード検知部３０がその切り替わりを検知し、その旨を示すモード切替信号を制御部１７に送出する。
【００８１】
制御部１７は、モード切替信号をトリガにしてモード切替スイッチ３１，３２を切替えて、第１及び第２の優先制御機能部２２，２５をバイパスするとともに、第１及び第２の優先制御機能部２２，２５自身をスリープ状態にするように制御する。更に、制御部１７は、音声フレームを、第１の優先制御機能部２２をバイパスして、特定のキュー（例えば、図６ではキュー２３−１が対応する）に供給する。この場合、制御部１７は、特定のキューのみがフレーム転送を行うように制御し、それ以外のキューをスリープ状態にする。前述したように、スリープ状態とは、いつでも速やかに起動することができる状態を保ちながら、消費電力を低減させた状態、好適には最大に低減した状態である。
【００８２】
これにより、バイパス及びスリープした機能部における演算が不要になり、バッテリ駆動時に消費電力をＡＣ電源駆動時よりも抑制することが可能となる。
【００８３】
次に、ＯＮＵにおけるバッテリ駆動時のその他の機能部のスリープ動作について詳細に説明する。基本的に、優先通信（ここでの説明では、電話による通話を優先することを云う）のみを行うために、電話に関わる機能以外全てをスリープ状態にする。例えば、図６に示す信号流通部１６において、ＶｏＩＰ−ＴＡ３６、モード切替スイッチ３１，３２、ＰＨＹ部２７、ＭＡＣ部２６、ＭＰＭＣ部２８、キュー２３−１，２４−１、制御部１７、パワーモード検知部３０のみヘバッテリ１９により通電する。ここで、本発明に関連しない機能部を省略しているが、サービス提供上必要な機能（例えば、ファン）があればスリープ状態にせずに通電する。具体的な機能部については種々あるため、本発明はこれに限定しない。
【００８４】
このように、制御部１７は、モード切替信号に基づいてバッテリ駆動であると認識した場合に、ＯＮＵが有するＵＮＩ側ＰＨＹ部２０、ＵＮＩ側ＭＡＣ部２１、第１及び第２の優先制御機能部２２，２５、及び音声フレーム以外を蓄積するキュー２３−ｎ，２４−ｎのうち、少なくとも１つ以上をスリープ状態に変更するように制御する。この場合、制御部１７は、モード切替信号に基づいて、バッテリ駆動からＡＣ電源駆動に復旧したと認識した場合に、該スリープ状態から通常状態に戻すように制御する。
【００８５】
これにより、ＯＮＵがバッテリ駆動時であれば、ＵＮＩ側ＰＨＹ部２０及びＵＮＩ側ＭＡＣ部２１がスリープ状態となり、消費電力を低減させて、バッテリ１９の駆動時における消費電力をＡＣ電源１８の駆働時よりも抑えることが可能となる。
【００８６】
上述の実施例については特定の制御シーケンスを代表的な例として説明したが、本発明は、上述の実施例によって制限するものと解するべきではなく、特許請求の範囲によってのみ制限される。
【産業上の利用可能性】
【００８７】
本発明によれば、ＯＮＵにおける電源状態に応じて、ＯＮＵ及びＯＬＴ間の通信制御を適切に制御して安全な通信を確保することができるため、伝送データを送受信するネットワークの光通信システムに有用である。
【図面の簡単な説明】
【００８８】
【図１】ＯＮＵとＶｏＩＰ−ＴＡとを別匿体で構成したＰＯＮシステムを示す図である。
【図２】ＶｏＩＰ−ＴＡ内蔵ＯＮＵで構成したＰＯＮシステムを示す図である。
【図３】従来のＶｏＩＰ−ＴＡ内蔵ＯＮＵの機能ブロック図である。
【図４Ａ】ＯＮＵとＶｏＩＰ−ＴＡとを別匿体で構成したポイント・ツー・ポイント型システムを示す図である。
【図４Ｂ】ＶｏＩＰ−ＴＡ内蔵ＯＮＵで構成したポイント・ツー・ポイント型システムを示す図である。
【図５】従来のＯＮＵとＯＬＴとの間のＧＡＴＥ，ＲＥＰＯＲＴシーケンスを示す図である。
【図６】本発明による一実施例のＰＯＮシステムにおけるＶｏＩＰ−ＴＡ内蔵ＯＮＵの機能ブロック図である。
【図７】本発明による一実施例のＰＯＮシステムにおけるＶｏＩＰ−ＴＡ外付けＯＮＵの機能ブロック図である。
【図８Ａ】本発明による一実施例のＰＯＮシステムにおける複数ＵＮＩを有するＯＮＵの機能ブロック図である。
【図８Ｂ】本発明による一実施例のポイント・ツー・ポイント型光加入者系アクセスシステムにおける複数ＵＮＩを有するＯＮＵの機能ブロック図である。
【図８Ｃ】本発明による一実施例のポイント・ツー・ポイント型光加入者系アクセスシステムにおけるＶｏＩＰ−ＴＡ内蔵ＯＮＵの機能ブロック図である。
【図９】本発明による一実施例のＲＥＰＯＲＴ送信間隔を長時間化する場合の第１の方法におけるＧＡＴＥ，ＲＥＰＯＲＴシーケンスを示す図である。
【図１０】本発明による一実施例のＲＥＰＯＲＴ送信間隔を長時間化する場合の第２の方法におけるＧＡＴＥ，ＲＥＰＯＲＴシーケンスを示す図である。
【図１１Ａ】本発明による一実施例のＲＥＰＯＲＴ送信間隔を長時間化する場合の第３の方法におけるＧＡＴＥ，ＲＥＰＯＲＴシーケンスを示す図である。
【図１１Ｂ】本発明による一実施例のＲＥＰＯＲＴ送信間隔を長時間化する場合の第４の方法におけるＧＡＴＥ，ＲＥＰＯＲＴシーケンスを示す図である。
【図１２】本発明による一実施例のＯＬＴ機能ブロック図である。
【図１３Ａ】本発明による一実施例のＲＥＰＯＲＴ送信間隔を長時間化する場合の第５の方法におけるＧＡＴＥ，ＲＥＰＯＲＴシーケンスを示す図である。
【図１３Ｂ】本発明による一実施例のＲＥＰＯＲＴ送信間隔を長時間化する場合の第６の方法におけるＧＡＴＥ，ＲＥＰＯＲＴシーケンスを示す図である。
【図１４】本発明による一実施例のＯＬＴ機能ブロック図である。
【符号の説明】
【００８９】
１１  ＯＮＵ
１２  ＰＣ（パーソナルコンピュータ）
１３  ＶｏＩＰ−ＴＡ
１４  固定アナログ電話
１５  ＶｏＩＰ−ＴＡ内臓ＯＮＵ
１６  信号流通部
１７  制御部
１８  ＡＣ電源
１９  バッテリ  
２０  ＵＮＩ側ＰＨＹ部
２１  ＵＮＩ側ＭＡＣ部
２２  第１の優先制御機能部
２３−１，２３−２，２３−ｎ  第１のキュー
２４−１，２４−２，２４−ｎ  第２のキュー
２５  第２の優先制御機能部
２６  ＭＡＣ部
２７  ＰＨＹ部
２８  ＭＰＭＣ部
２９  帯域割当要求信号調整機能
３０  パワーモード検知部
３１，３２  モード切替スイッチ
３３，３３−ｎ  ＶｏＩＰ−ＴＡ
３４，３４−１，３４−ｋ，３４−ｎ  ＵＮＩ側ＰＨＹ部
３５，３５−１，３５−ｋ，３５−ｎ  ＵＮＩ側ＭＡＣ部
３６，３６−ｎ  ＶｏＩＰ−ＴＡ
１００  加入者宅内
２００  局内
２０１  ＯＬＴ
２１０  ＭＰＭＣ部
２１１  リンク断最大時間間隔計算機能部
２１２  帯域割当通知信号調整機能部
３００  光スプリッタ
【図１】
0005072614.tif 000002
【図２】
0005072614.tif 000003
【図３】
0005072614.tif 000004
【図４Ａ】
0005072614.tif 000005
【図４Ｂ】
0005072614.tif 000006
【図５】
0005072614.tif 000007
【図６】
0005072614.tif 000008
【図７】
0005072614.tif 000009
【図８Ａ】
0005072614.tif 000010
【図８Ｂ】
0005072614.tif 000011
【図８Ｃ】
0005072614.tif 000012
【図９】
0005072614.tif 000013
【図１０】
0005072614.tif 000014
【図１１Ａ】
0005072614.tif 000015
【図１１Ｂ】
0005072614.tif 000016
【図１２】
0005072614.tif 000017
【図１３Ａ】
0005072614.tif 000018
【図１３Ｂ】
0005072614.tif 000019
【図１４】
0005072614.tif 000020